(57)【要約】【課題】通帳への未記帳取引履歴の記帳を円滑に行う手段を提供する。【解決手段】通帳記帳装置１が、通帳のページに未記帳取引履歴を記帳する記帳部１０と、複数の通帳を保管する保管部１２とを備え、未記帳取引履歴を記帳する通帳を受付けたときに、通帳への即時記帳または一時預り記帳の別を選択させ、一時預り記帳が選択された場合は、当該通帳を保管部１２に保管して一旦預り、未記帳取引履歴の記帳を終えた後に、当該記帳済の通帳を利用者に返却する。【選択図】        図２
2011227581.tif 000002
【特許請求の範囲】
【請求項１】
冊子状媒体のページに一定事項を記帳する記帳部と、複数の前記冊子状媒体を保管する保管部とを備え、
前記一定事項を記帳する冊子状媒体を受付けたときに、前記冊子状媒体への即時記帳または一時預り記帳の別を選択させ、
前記一時預り記帳が選択された場合は、当該冊子状媒体を前記保管部に保管して一旦預り、前記一定事項の記帳を終えた後に、当該記帳済の冊子状媒体を利用者に返却することを特徴とする冊子状媒体記帳装置。
【請求項２】
請求項１において、
前記冊子状媒体を受付けたときに、受付けた前記冊子状媒体の媒体情報を基に、前記一定事項の記帳データを取得して前記記帳データの記帳終了までに要する所要時間を算出し、前記即時記帳または一時預り記帳の別を選択させるときに、それぞれの場合の前記所要時間を表示することを特徴とする冊子状媒体記帳装置。
【請求項３】
請求項１において、
前記一時預り記帳が選択されたときに、記帳済の当該冊子状媒体の返却時に用いる利用者識別子の入力を受付け、記帳済の冊子状媒体の返却時に入力された利用者識別子により、当該冊子状媒体を特定することを特徴とする冊子状媒体記帳装置。
【請求項４】
請求項１において、
前記一時預り記帳が選択されたときに、当該冊子状媒体の所有者の連絡先の入力を受付け、前記預かった冊子状媒体への一定事項の記帳を終えたときに、前記連絡先へ一定事項の記帳を終えた旨を通知することを特徴とする冊子状媒体記帳装置。
【請求項５】
請求項１において、
前記保管部に冊子状媒体を保管するときに、前記冊子状媒体の記帳順位を設定して保管することを特徴とする冊子状媒体記帳装置。
【請求項６】
請求項１ないし請求項５のいずれか一項において、
前記保管部は、保管している複数の冊子状媒体のいずれか一つを選択的に繰出すように構成されていることを特徴とする冊子状媒体記帳装置。
【請求項７】
請求項１ないし請求項６のいずれか一項において、
前記即時記帳が選択された場合であって、記帳中の冊子状媒体が存在するときは、前記記帳中の冊子状媒体を退避させ、前記即時記帳が必要とされた冊子状媒体への記帳を優先させて行うことを特徴とする冊子状媒体記帳装置。
【請求項８】
請求項１ないし請求項７のいずれか一項において、
前記冊子状媒体は、利用者の通帳であり、前記一定事項は、未記帳の取引履歴であることを特徴とする冊子状媒体記帳装置。
【発明の詳細な説明】
【技術分野】
【０００１】
本発明は、通帳等の冊子状媒体に、取引履歴等の一定事項を記帳する通帳記帳装置等の冊子状媒体記帳装置に関する。
【背景技術】
【０００２】
従来の通帳記帳装置は、利用者が持参した通帳に未記帳取引履歴を記帳する場合は、利用者が通帳を挿入部に挿入すると、挿入部の磁気読取書込部によって磁気ストライプに記録された口座情報等の通帳情報を読取り、この口座情報を基にホストコンピュータから未記帳の取引履歴データを取得し、取得した取引履歴データを記帳部によって改行および改ページしながら通帳のページに記帳し、記帳を終えた通帳を挿入部から排出して利用者に返却している（例えば、特許文献１参照。）。
【先行技術文献】
【特許文献】
【０００３】
【特許文献１】特開平２００２−９２６９７号公報（段落００１６−００１８、第３図）
【発明の概要】
【発明が解決しようとする課題】
【０００４】
しかしながら、上述した従来の技術においては、利用者は、通帳記帳装置によって記帳をしている利用者が存在する場合は順番を待たねばならず、かつ自己の通帳への記帳が終了するまで通帳記帳装置の前から離れることができないため、利用者の利便性を低下させさせるという問題がある。
【０００５】
また、通帳へ記帳すべき未記帳取引履歴が多量の場合には、一人の利用者の通帳記帳装置の占有時間が長くなり、通帳記帳装置を利用する単位時間当たりの利用者数が減少し、通帳記帳装置の稼動効率を低下させるという問題がある。
【０００６】
本発明は、上記の問題点を解決するためになされたもので、冊子状媒体としての通帳への未記帳取引履歴等の一定事項の記帳を円滑に行う手段を提供することを目的とする。
【課題を解決するための手段】
【０００７】
本発明は、上記課題を解決するために、冊子状媒体記帳装置が、冊子状媒体のページに一定事項を記帳する記帳部と、複数の前記冊子状媒体を保管する保管部とを備え、前記一定事項を記帳する冊子状媒体を受付けたときに、前記冊子状媒体への即時記帳または一時預り記帳の別を選択させ、前記一時預り記帳が選択された場合は、当該冊子状媒体を前記保管部に保管して一旦預り、前記一定事項の記帳を終えた後に、当該記帳済の冊子状媒体を利用者に返却することを特徴とする。
【発明の効果】
【０００８】
これにより、利用者は、他の通帳等の冊子状媒体への記帳中や保管部に冊子状媒体が保管されていても、自己の冊子状媒体を冊子状媒体記帳装置へ挿入することができると共に自己の冊子状媒体への記帳中に冊子状媒体記帳装置から離れることができ、冊子状媒体への未記帳取引履歴等の一定事項の記帳を円滑にして利用者の利便性を向上させることができると共に、冊子状媒体記帳装置の稼動効率を向上させることができる。
【図面の簡単な説明】
【０００９】
【図１】実施例の通帳記帳装置を示すブロック図
【図２】実施例の通帳記帳装置の構成を示す説明図
【図３】実施例の通帳記帳処理を示すフローチャート
【図４】実施例の記帳取引選択画面の表示例を示す説明図
【図５】実施例の返却時パスワード入力画面の表示例を示す説明図
【図６】実施例の記帳方法選択画面の表示例を示す説明図
【図７】実施例の記帳終了時間確認画面の表示例を示す説明
【図８】実施例の記帳終了時刻確認画面の表示例を示す説明図
【図９】実施例の受付時パスワード入力画面の表示例を示す説明図
【図１０】実施例の連絡先入力画面の表示例を示す説明図
【発明を実施するための形態】
【００１０】
以下に、図面を参照して本発明による冊子状媒体記帳装置の実施例について説明する。
【実施例】
【００１１】
図１、図２において、１は冊子状媒体記帳装置としての通帳記帳装置であり、銀行等の金融機関の支店等の店舗に設置され、利用者が持参した冊子状媒体としての通帳に、一定事項としての未記帳取引履歴を記帳して返却する機能を有している。
【００１２】
２は金融機関のセンタに設置された上位装置としてのホストコンピュータであり、店舗に設置されている通帳記帳装置１と専用回線や電話回線等の通信回線３を介して接続しており、口座開設者である利用者の口座の店番号、口座番号、口座科目等の口座情報やその暗証番号、口座残高、未記帳取引履歴データ等の利用者情報を格納する図示しないデータベースを保有して利用者の口座を管理する。
【００１３】
５は通帳記帳装置１の制御部であり、通信回線３を介してホストコンピュータ２と接続しており、通帳記帳装置１内の各部を制御して通帳記帳処理等を実行すると共にデータ通信等を制御する機能を有している。
【００１４】
６は記憶部であり、制御部５が実行するプログラムやそれに用いる各種のデータおよび制御部５による処理結果等が格納される。
【００１５】
７は操作表示部であり、通帳記帳装置１の前面に設けられ、ＬＣＤ等の表示画面とタッチパネル等の入力手段との組合せで構成されており、表示画面に記帳取引選択画面や各種の入力画面等を表示する他、入力手段により利用者からの選択入力を受付ける機能を有している。
【００１６】
８は入力部であり、キーボード等の入力手段を備えており、利用者からのパスワードや連絡先等の各種の入力を受付ける機能を有している。
【００１７】
９は挿入部であり、利用者の通帳の磁気ストライプやＩＣチップに記録されている口座番号等の口座情報、および記帳可能ページや記帳済行等の記帳情報等からなる媒体情報としての通帳情報を読み書きする通帳情報読取書込部等を備えており、挿入口から記帳可能ページを開いた状態で挿入された利用者の通帳を受入れると共に、記帳後の通帳を排出して利用者に返却する機能を有している。
【００１８】
１０は記帳部であり、記帳ヘッドおよびこれに対向配置されたプラテン、ページめくり機構等を備えており、搬送された通帳の記帳可能ページに、改行および改ページしながら未記帳の取引履歴を記帳する機能を有している。
【００１９】
１２は保管部であり、記帳可能ページを開いた状態で挿入された通帳をその状態のまま一時的に保管する収納部であって、図２に示すように、一つの幹搬送路１２ａから分岐した搬送路からなる複数の保管枝１２ｂを千鳥状に配置して構成されており、各保管枝１２ｂに保管された通帳のいずれか一つを選択的に繰出すことができるように、各保管枝１２ｂはそれぞれ独立に駆動される。
【００２０】
また、幹搬送路１２ａおよび保管枝１２ｂは、それぞれベルト対の間に、開いた状態の通帳を挟持して搬送する搬送路であって、幹搬送路１２ａと保管枝１２ｂとの各分岐部には、図示しない切替ブレード等により通帳の搬送方向を切替える切替機構が設けられている。
【００２１】
１４は搬送路であり、ベルト対の間に、開いた状態の通帳を挟持して搬送する搬送路であって、上記の各部の間を接続して通帳を搬送するために複数（１４ａ〜１４ｃ）設けられ、各搬送路１４は、それぞれ独立に駆動される。
【００２２】
搬送路１４ａは、挿入部９と記帳部１０との間を接続するように設けられている。
【００２３】
搬送路１４ｂは、記帳部１０と、保管部１２の幹搬送路１２ａとの間を接続するように設けられている。
【００２４】
搬送路１４ｃは、搬送路１４ａの途中に設けられた分岐部と、搬送路１４ｂの途中に設けられた分岐部とを接続するように、つまり記帳部１０をバイパスするように設けられており、各分岐部には図示しない切替機構が設けられている。
【００２５】
上記の通帳記帳装置１の記憶部６には、利用者が選択した記帳取引の入力を受付けたときに、挿入された通帳から読取った口座情報を基に、ホストコンピュータ２と交信して未記帳取引履歴データを取得し、その未記帳取引履歴の記帳に要する所要時間を算出し、これを表示して通帳への即時記帳（その場で、通帳に未記帳取引履歴を記帳することをいう。）を行うか、一時預り記帳（通帳を一時的に預けて未記帳取引履歴を記帳することをいう。）を行うかの選択入力を受付け、その選択入力が一時預り記帳の場合は、挿入された通帳を保管部１２に保管して一旦預り、預かった通帳への記帳を終えた後に、その終了を当該通帳の所有者である利用者に通知して記帳済の当該通帳を利用者に返却し、選択入力が即時記帳の場合は、当該通帳への記帳を優先的に行う通帳記帳処理を実行する機能等を有する通帳記帳処理プログラムが予め格納されており、制御部５が実行する通帳記帳処理プログラムのステップにより本実施例の通帳記帳装置１の各機能手段が形成される。
【００２６】
また、記憶部６には、挿入された通帳の通帳識別子としての通帳ＩＤ（本実施例では、口座番号）に対応させて、ホストコンピュータ２から取得した未記帳取引履歴データである記帳データとその記帳に要する記帳時間等を格納する記帳データ格納エリア、一時的に預かった通帳の通帳ＩＤに対応させて、その通帳の通帳情報、通帳を保管した保管枝１２ｂの位置を示す位置コード、入力されたパスワード、「未記帳」「記帳済」の別からなる処理状況、入力された連絡先、記帳順位（本実施例では、受付順）等からなる保管情報を格納する保管情報格納エリアが予め設定されている。
【００２７】
以下に、図３に示すフローチャートを用い、Ｓで示すステップに従って本実施例の通帳記帳装置１による通帳記帳処理について説明する。
【００２８】
金融機関の店舗の係員が、始業時等に通帳記帳装置１へ電源を投入すると、通帳記帳装置１の記憶部６に格納されている通帳記帳処理プログラムが自動的に起動される。
【００２９】
Ｓ１：通帳記帳処理プログラムが起動すると、通帳記帳装置１の制御部５は、その操作表示部７の表示画面に図４に示す記帳取引選択画面を表示し、並行処理により、利用者による選択ボタンの押下（ステップＳ２）または保管部１２に保管された未記帳通帳の存在の検知（ステップＳ２３）を待って待機する。
【００３０】
記帳取引選択画面には、選択ボタンの押下を促す旨の文言と、記帳取引を選択するための「記帳する」ボタン、および記帳済の通帳の返却取引を選択するための「通帳を受取る」ボタンからなる選択ボタンが表示される。
【００３１】
利用者は、操作表示部７のタッチパネルによって、持参した通帳への記帳を行う場合は「記帳する」ボタンを、一時的に預けた記帳済通帳を受取る場合は「通帳を受取る」ボタンを押下する。
【００３２】
Ｓ２：並行処理により、利用者による選択ボタンの押下を待って待機していた制御部５は、タッチパネルからの出力信号等により選択ボタンの押下を認識したときにステップＳ３へ移行する。選択ボタンの押下を認識しない場合は、ステップＳ２、Ｓ２３による待機を継続する。
【００３３】
Ｓ３：選択ボタンの押下により利用者が取引を選択したことを認識した制御部５は、「記帳する」ボタンの押下により記帳取引が選択されたことを認識した場合は記帳取引の割込処理を実行するためにステップＳ６へ移行する。「通帳を受取る」ボタンの押下により返却取引が選択されたことを認識した場合は返却取引の割込処理を実行するためにステップＳ４へ移行する。
【００３４】
Ｓ４：返却取引が選択されたことを認識した制御部５は、操作表示部７の表示画面に図５に示す返却時パスワード入力画面を表示する。
【００３５】
返却時パスワード入力画面には、通帳の受付時に入力された利用者識別子としてのパスワード（ステップＳ２０参照）の入力を促す旨の文言等およびパスワード表示欄、入力の終了を指示するための「確認」ボタン等が表示される。
【００３６】
利用者は、入力部８のキーボード等によって受付時に入力したパスワードを入力し、操作表示部７のタッチパネルにより「確認」ボタンを押下する。
【００３７】
Ｓ５：「確認」ボタンの押下により返却時のパスワードの入力終了を認識した制御部５は、入力されたパスワードを基に、記憶部６の保管情報格納エリアに格納されている保管情報を検索し、該当する保管情報に記録されている保管部１２の保管枝１２ｂの位置コードから当該利用者の記帳済通帳の保管場所を特定すると共に、当該記帳済通帳の通帳情報の記帳後の状態に書換えられた記帳情報（ステップＳ３０参照）を読出し、特定した保管枝１２ｂに駆動力を供給して当該記帳済通帳を保管枝１２ｂから幹搬送路１２ａへ繰出し、搬送路１４ｂ、１４ｃ、１４ａを経由して挿入部９へ搬送し、挿入部９の通帳情報読取書込部によって、当該記帳済通帳の磁気ストライプ等に記録されている記帳情報を、読出した記帳情報に書換えた後に、挿入部９から排出して利用者に返却する。
【００３８】
そして、制御部５は利用者の記帳済通帳の受取りを確認したときに、記憶部６の保管情報格納エリアの該当する保管情報（ステップＳ２２参照）を消去し、接続子Ａを介してステップＳ１に戻り、記帳取引選択画面を表示しながらステップＳ２、Ｓ２３による待機を継続する。
【００３９】
Ｓ６：ステップＳ３において、記帳取引が選択されたことを認識した制御部５は、操作表示部７の表示画面に記帳可能ページを開いた状態の通帳の挿入を促す旨の文言等を表示した通帳挿入依頼画面を表示し、利用者はこれに従って開いた状態の通帳を挿入部９の挿入口に挿入する。
【００４０】
このとき、制御部５は挿入部９の通帳情報読取書込部によって、挿入された通帳の磁気ストライプ等に記録されている口座番号等の通帳情報を読取り、読取った通帳情報を記憶部６に保存すると共に、読取った通帳情報を基にホストコンピュータ２と交信して当該通帳の未記帳取引履歴データ（記帳データ）を取得する。
【００４１】
すなわち、制御部５は、読取った通帳情報の口座情報を添付した記帳データ送信依頼を作成し、これを通信回線３を介してホストコンピュータ２へ送信する。
【００４２】
記帳データ送信依頼を受信したホストコンピュータ２は、記帳データ送信依頼に含まれる口座情報の口座番号等を基にデータベースの利用者情報を検索して該当する利用者情報から当該通帳の未記帳取引履歴データを読出し、これを当該通帳の記帳データとして送信元の通帳記帳装置１へ通信回線３を介して送信し、通帳記帳装置１の制御部５はこれを受信して当該通帳への記帳データを取得する。
【００４３】
Ｓ７：記帳データを取得した制御部５は、その記帳データを基に通帳への記帳時における記帳行数を計数し、その行数に１行の記帳に要する時間を乗じて当該記帳データの記帳に要する記帳時間を算出し（改ページを要する場合はそれに要する時間を加算する。）、算出した記帳時間と取得した記帳データとを、当該通帳の通帳ＩＤ（本実施例では、口座番号）に対応させて、記憶部６の記帳データ格納エリアに格納する。
【００４４】
そして、制御部５は、記帳データ格納エリアに格納されている、一時預り記帳のために保管部１２に保管した他の未記帳通帳の記帳時間を読出し、当該通帳への記帳を継続した場合、つまり即時記帳が選択された場合の記帳終了までに要する所要時間を算出した記帳時間とし、算出した記帳時間に読出した他の未記帳通帳の記帳時間を全て加えて、一時預り記帳が選択された場合の記帳終了までに要する所要時間を算出し、この所要時間を時計機能により認識した現在時刻に加えて時刻に換算し、これを一時預り記帳が選択された場合の記帳終了予定時刻とする。
【００４５】
Ｓ８：当該通帳の記帳終了までに要する所要時間を算出した制御部は、操作表示部７の表示画面に図６に示す記帳方法選択画面を表示する。
【００４６】
記帳方法選択画面には、選択ボタンの押下を促す旨の文言と、一時預り記帳を選択したときの記帳終了までに要する所要時間から換算した記帳終了予定時刻、即時記帳を選択したときの記帳終了までに要する所要時間、および一時預り記帳を選択するための「通帳を預けて記帳する」ボタン、即時記帳を選択するための「このまま記帳する」ボタン、記帳取引の中止を指示するための「取消」ボタンからなる選択ボタンが表示される。
【００４７】
利用者は、操作表示部７のタッチパネルによって、持参した通帳を一時預けて記帳を行う場合は「通帳を預けて記帳する」ボタンを、挿入した通帳に記帳しその記帳済通帳をその場で持ち帰る場合は「このまま記帳する」ボタンを、記帳取引を中止する場合は「取消」ボタンを押下する。
【００４８】
Ｓ９：選択ボタンの押下により利用者が記帳方法を選択したことを認識した制御部５は、「通帳を預けて記帳する」ボタンの押下により一時預り記帳が選択されたことを認識した場合はステップＳ１９へ移行する。「このまま記帳する」ボタンの押下により即時記帳が選択されたことを認識した場合はステップＳ１０へ移行する。
【００４９】
なお、制御部５は、「取消」ボタンの押下により記帳取引の中止を認識した場合は、挿入された通帳を挿入部９から排出して利用者に返却し、利用者の受取りを確認したときに、記憶部６に保存した通帳情報、記帳データ格納エリアの該当する記帳データ等を消去し、ステップＳ１に戻って、記帳取引選択画面を表示しながらステップＳ２、Ｓ２３による待機を継続する。
【００５０】
Ｓ１０：即時記帳が選択されたことを認識した制御部５は、操作表示部７の表示画面に図７に示す記帳終了時間確認画面を表示する。
【００５１】
記帳終了時間確認画面には、記帳終了時間の確認を促す旨の文言、利用者に装置の前を離れないように注意を促す旨の文言、挿入された通帳の記帳終了までに要する所要時間、表示内容を確認したことを指示するための「確認」ボタン、記帳取引の中止を指示するための「取消」ボタンからなる選択ボタンが表示される。
【００５２】
利用者は、操作表示部７のタッチパネルによって、持参した通帳への記帳を継続する場合は「確認」ボタンを、記帳取引を中止する場合は「取消」ボタンを押下する。なお「取消」ボタンが押下された場合の作動は、上記ステップＳ９の場合と同様である。
【００５３】
Ｓ１１：通帳への記帳の継続を認識した制御部５は、記帳部１０の作動状態を確認し、保管した未記帳通帳への記帳が実行されている場合、つまり記帳部１０が記帳中の場合（ステップＳ１８、Ｓ２７参照）はステップＳ１２へ移行する。記帳部１０が待機中の場合はステップＳ１３へ移行する。
【００５４】
Ｓ１２、記帳部１０が記帳中であることを認識した制御部５は、挿入された通帳への記帳を優先して実行するために、記帳中の通帳を記帳部１０から搬送路１４ｂへ搬出してその搬送路１４ｂ上に停止させ、記帳中の通帳を記帳部１０から搬送路１４ｂ上へ一旦退避させ、記憶部６の記帳データ格納エリアの退避させた通帳の記帳データの記帳済のデータを消去すると共に、保管情報格納エリアの退避させた通帳の通帳情報の記帳可能ページおよび記帳済行等の記帳情報を退避させたときの状態に書換えてステップＳ１３へ移行する。
【００５５】
Ｓ１３、記帳部１０が待機中であることを認識した、または記帳中の通帳を記帳部１０から退避させた制御部５は、記帳可能ページを開いた状態で挿入部９に挿入された通帳を、搬送路１４ａによって開いた状態のまま記帳部１０内へ搬送し、記憶部６の記帳データ格納エリアに格納されている当該通帳の記帳データ、および記憶部６に保存した通帳情報の記帳情報に基づいて挿入された通帳への優先的な記帳を開始する。
【００５６】
Ｓ１４：挿入された通帳への記帳を開始した制御部５は、当該通帳への記帳の終了を待って待機し、記帳の終了を認識したときにステップＳ１５へ移行する。記帳が継続している場合は前記の待機を継続する。
【００５７】
Ｓ１５：挿入された通帳への記帳を終えた制御部５は、記帳済の通帳を搬送路１４ａによって記帳部１０から挿入部９へ搬送し、挿入部９の通帳情報読取書込部によって当該記帳済通帳の磁気ストライプ等に記録されている通帳情報の記帳情報を、記帳後の状態に書換えた後に、挿入部９から排出して利用者に返却する。
【００５８】
そして、制御部５は利用者の記帳済通帳の受取りを確認したときに、記憶部６の記帳データ格納エリアに格納されている当該通帳の記帳データおよび記憶部６に保存した通帳情報を消去してステップＳ１６へ移行する。
【００５９】
Ｓ１６：優先的に記帳した記帳済通帳を利用者に返却した制御部５は、搬送路１４ｂ上に退避させた退避通帳の存否を確認し、退避通帳が存在する場合はステップＳ１７へ移行する。退避通帳が存在しない場合は、接続子Ａを介してステップＳ１に戻り、記帳取引選択画面を表示しながらステップＳ２、Ｓ２３による待機を継続する。
【００６０】
Ｓ１７：退避通帳の存在を認識した制御部５は、搬送路１４ｂによって退避通帳を再び記帳部１０内へ搬送し、記憶部６の記帳データ格納エリアに格納されている当該退避通帳の残余の記帳データ、および保管情報格納エリアの当該退避通帳の通帳情報の書換えた記帳情報に基づいて退避通帳への記帳を再開する。
【００６１】
Ｓ１８：退避通帳への記帳を再開した制御部５は、当該退避通帳への記帳の終了を待って待機し、記帳の終了を認識したときに、接続子Ｂを介してステップＳ２８へ移行する。記帳が継続している場合は前記の待機を継続する。
【００６２】
Ｓ１９：上記ステップＳ９において、一時預り記帳が選択されたことを認識した制御部５は、操作表示部７の表示画面に図８に示す記帳終了時刻確認画面を表示する。
【００６３】
記帳終了時刻確認画面には、記帳終了時刻の確認を促す旨の文言、預かった通帳の記帳終了までに要する所要時間から換算した記帳終了予定時刻、表示内容を確認したことを指示するための「確認」ボタン、記帳取引の中止を指示するための「取消」ボタンからなる選択ボタンが表示される。
【００６４】
利用者は、操作表示部７のタッチパネルによって、持参した通帳を一時預けて記帳終了予定時刻以降に記帳済通帳を受取る場合は「確認」ボタンを、記帳取引を中止する場合は「取消」ボタンを押下する。なお「取消」ボタンが押下された場合の作動は、上記ステップＳ９の場合と同様である。
【００６５】
Ｓ２０：表示内容が確認されたことを認識した制御部５は、操作表示部７の表示画面に図９に示す受付時パスワード入力画面を表示する。
【００６６】
受付時パスワード入力画面には、通帳の返却時に用いる利用者識別子としてのパスワードの入力を促す旨の文言等およびパスワード表示欄、入力の終了を指示するための「確認」ボタンが表示される。
【００６７】
利用者は、入力部８のキーボード等によってパスワードを入力し、操作表示部７のタッチパネルにより「確認」ボタンを押下する。
【００６８】
Ｓ２１：「確認」ボタンの押下により受付時のパスワードの入力終了を認識した制御部５は、操作表示部７の表示画面に図１０に示す連絡先入力画面を表示する。
【００６９】
連絡先入力画面には、預かった通帳への記帳終了時に入力された連絡先に記帳終了の旨の通知が可能である旨の文言、連絡先（本実施例では、メールアドレス）表示欄、入力の終了を指示するための「確認」ボタン、連絡を希望しないことを指示するための「入力しない」ボタンからなる選択ボタンが表示される。
【００７０】
利用者は、連絡を希望する場合は、入力部８のキーボード等によってメールアドレスを入力し操作表示部７のタッチパネルにより「確認」ボタンを押下する。連絡を希望しない場合は、操作表示部７のタッチパネルによって「入力しない」ボタンを押下する。
【００７１】
Ｓ２２：選択ボタンの押下を認識した制御部５は、保管部１２の空の保管枝１２ｂを特定してその位置コードを認識し、挿入部９に挿入されている通帳を搬送路１４ａ、１４ｃ、１４ｂにより保管部１２の幹搬送路１２ａへ搬送し、特定した保管枝１２ｂの切替機構により搬送方向を切換えて当該通帳を当該保管枝１２ｂに搬入して保管する。
【００７２】
そして、制御部５は、記憶部６の保管情報格納エリアに格納されている、保管部１２に保管されている未記帳通帳の保管情報を検索して最後尾の記帳順位（本実施例では、受付順に設定されている。）を読出し、読出した記帳順位に「１」を加えて保管した通帳の記帳順位を設定し、当該通帳の通帳ＩＤに対応させて、その通帳の通帳情報、特定した保管枝１２ｂの位置コード、入力された受付時のパスワード、「未記帳」とした処理状況、入力された連絡先（「入力しない」ボタンが選択された場合は空白）、設定した記帳順位等からなる保管情報を作成して、この保管情報を記憶部６の保管情報格納エリアに格納し、接続子Ａを介してステップＳ１に戻り、記帳取引選択画面を表示しながらステップＳ２、Ｓ２３による待機を継続する。
【００７３】
Ｓ２３：一方、並行処理により、保管部１２に保管された未記帳通帳の存在の検知を待って待機していた制御部５は、記憶部６の保管情報エリアに、処理状況を「未記帳」とした保存情報が格納されていることにより、保管部１２に未記帳通帳が存在することを検知したときはステップＳ２４へ移行する。未記帳通帳の存在を検知しない場合はステップＳ２、Ｓ２３による待機を継続する。
【００７４】
Ｓ２４：保管部１２に未記帳通帳が存在することを検知した制御部５は、記帳部１０および搬送路１４ｂの状態を確認し、記帳部１０が記帳中の場合（ステップＳ１４、Ｓ１８、Ｓ２７参照）、搬送路１４ｂ上に通帳が存在する場合（ステップＳ５、Ｓ１２、Ｓ２２、Ｓ３０参照）は、当該通帳への記帳の終了、および搬送路１４ｂからの退去（保管部１２への保管終了等）を待って待機し、記帳部１０が待機中であり、かつ搬送路１４ｂ上に通帳が存在しない場合にステップＳ２５へ移行する。
【００７５】
Ｓ２５：記帳部１０および搬送路１４ｂに通帳が存在しないことを認識した制御部５は、記憶部６の保管情報格納エリアに格納されている保管情報を検索し、処理状況が「未処理」となっている保管情報であって記帳順位が最先のものを読出し、その保管情報の位置コードによって該当する未記帳通帳を保管している保管枝１２ｂを特定し、その保管枝１２ｂに駆動力を供給して特定した未記帳通帳を当該保管枝１２ｂから幹搬送路１２ａへ繰出し、搬送路１４ｂを経由して記帳部１０内へ搬送する。
【００７６】
Ｓ２６：未記帳通帳を記帳部１０へ搬送した制御部５は、当該保管情報からその通帳情報の記帳情報を読出すと共に、当該保管情報の通帳ＩＤを基に、記憶部６の記帳データ格納エリアに格納されている当該通帳ＩＤに対応付けられた記帳データを読出し、これら読出した記帳データおよび記帳情報に基づいて、搬送した未記帳通帳への記帳を開始する。
【００７７】
Ｓ２７：未記帳通帳への記帳を開始した制御部５は、当該未記帳通帳への記帳の終了を待って待機し、記帳の終了を認識したときにステップＳ２８へ移行する。記帳が継続している場合は、前記の待機を継続する。
【００７８】
Ｓ２８：未記帳通帳への記帳を終えた、またはステップＳ１８において退避通帳への記帳を終えた制御部５は、繰出時に読出した保管情報に連絡先（本実施例では、メールアドレス）が記録されている場合は通帳の所有者への記帳終了の旨の通知が必要と判定してステップＳ２９へ移行する。保管情報に連絡先が記録されていない、つまり空白の場合は連絡不要と判定してステップＳ３０へ移行する。
【００７９】
Ｓ２９：通帳の所有者への記帳終了の旨の通知が必要と判定した制御部５は、当該保管情報からその連絡先のメールアドレスを読出し、読出したメールアドレスを宛先とし記帳終了の旨の文言を添付した記帳終了通知を送信してステップＳ３０へ移行する。
【００８０】
Ｓ３０：記帳終了通知を送信した、または連絡不要と判定した制御部５は、記帳済の通帳を搬送路１４ｂによって記帳部１０から、繰出時の位置コードによって特定した保管先の保管枝１２ｂへ搬送して保管し、当該保管情報の通帳情報の記帳情報を記帳後の状態に書換えると共に、記憶部６の記帳データ格納エリアに格納されている当該通帳の記帳データを消去し、接続子Ａを介してステップＳ１に戻り、記帳取引選択画面を表示しながらステップＳ２、Ｓ２３による待機を継続する。
【００８１】
なお、本実施例の通帳記帳処理は、通帳記帳装置１の電源の遮断により終了する。
【００８２】
このように、本実施例の通帳記帳処理においては、複数の通帳を保管できる保管部１２を設けて、利用者の選択により記帳する通帳を一時的に預かるようにするので、利用者は、他の通帳への記帳中や保管部１２に通帳が保管されていても、通帳を通帳記帳装置へ挿入することができると共に自己の通帳への記帳中に通帳記帳装置１から離れることができ、通帳への未記帳取引履歴の記帳を円滑にして利用者の利便性を向上させることができると共に、通帳記帳装置１の稼動効率を向上させることができる。
【００８３】
また、通帳へ記帳すべき未記帳取引履歴が多量の場合であっても、一時預け記帳により一人の利用者の通帳記帳装置１の占有時間を短縮することができ、通帳記帳装置１を利用する単位時間当たりの利用者数を増加させて通帳記帳装置１の稼動効率を更に向上させることができる。
【００８４】
また、一時預り記帳が選択されたときに、その通帳への記帳終了予定時刻を表示するので、利用者は記帳終了時刻を容易に把握することができる。
【００８５】
更に、一時的に預かった通帳への記帳終了後に、その通帳の所有者へ記帳終了通知を送信するので、利用者は記帳が終了したことを正確に把握することができる。
【００８６】
更に、一時預り記帳が選択されたときに、受付順に当該通帳の記帳順位を設定するので、先に預かった通帳から順に記帳を行って利用者に提示した記帳終了予定時刻の大幅な逸脱を防止することができ、通帳記帳における無用の混乱を回避することができる。
【００８７】
以上説明したように、本実施例では、通帳記帳装置に、記帳する通帳を複数保管する保管部を設け、記帳する通帳を受付けたときに、通帳への即時記帳または一時預り記帳の別を選択させ、一時預り記帳が選択された場合は、当該通帳を保管部に保管して一旦預り、記帳を終えた後に当該記帳済の通帳を利用者に返却するようにしたことによって、利用者は、他の通帳への記帳中や保管部に通帳が保管されていても、自己の通帳を通帳記帳装置へ挿入することができると共に自己の通帳への記帳中に通帳記帳装置から離れることができ、通帳への未記帳取引履歴の記帳を円滑にして利用者の利便性を向上させることができると共に、通帳記帳装置の稼動効率を向上させることができる。
【００８８】
なお、上記実施例においては、保管部は、幹搬送路とそれから分岐した複数の保管枝とで構成するとして説明したが、複数の保管枝を、無端ベルトからなるリフタに円環状に配置して構成するようにしてもよい。この場合には、幹搬送路の一箇所に駆動力を伝達するための連結機構を有する連結部を設けて保管枝に駆動力を伝達するようにし、空の保管枝をリフタの回転により連結部に移動させて預かった通帳の保管を行うと共に、預かった通帳を挟持した保管枝を連結部に移動させて繰出を行うようにするとよい。このようにすれば、各保管枝を駆動するための駆動機構の簡素化を図ることができる。
【００８９】
また、上記実施例においては、利用者識別子はパスワードであるとして説明したが、暗証番号等であってもよく、カード読取部を設けて、キャッシュカードやクレジットカード等の取引カードから読取ったカード情報に記録されている顧客ＩＤ等を利用者識別子として用いるようにしてもよい。
【００９０】
更に、上記実施例においては、連絡先はメールアドレスであるとして説明したが、連絡先は前記に限らず、携帯電話番号や自宅の電話番号等であってもよく、この場合に通帳記帳装置の制御部は、合成音声等により記帳終了の旨を通知するようにするとよい。
【００９１】
更に、上記実施例においては、退避通帳は記帳部と保管部との間を接続する搬送路上に退避させるとして説明したが、一旦保管部の元の保管枝に戻して退避させるようにしてもよい。
【００９２】
更に、上記実施例においては、搬送路は、ベルト対で構成するとして説明したが、搬送路は前記に限らず、ローラ対、またはローラとベルトの組合せで構成するようにしてもよい。
【００９３】
更に、上記実施例においては、冊子状媒体は通帳であるとして説明したが、冊子状媒体は前記に限らず、年金手帳等であってもよい。
【符号の説明】
【００９４】
１    通帳記帳装置
２    ホストコンピュータ
３    通信回線
５    制御部
６    記憶部
７    操作表示部
８    入力部
９    挿入部
１０  記帳部
１２  保管部
１２ａ  幹搬送路
１２ｂ  保管枝
１４、１４ａ、１４ｂ、１４ｃ  搬送路
【図１】
2011227581.tif 000003
【図２】
2011227581.tif 000004
【図３】
2011227581.tif 000005
【図４】
2011227581.tif 000006
【図５】
2011227581.tif 000007
【図６】
2011227581.tif 000008
【図７】
2011227581.tif 000009
【図８】
2011227581.tif 000010
【図９】
2011227581.tif 000011
【図１０】
2011227581.tif 000012